(57)【要約】【課題】本考案は、気性を直し、気持ちを変え、ストレスを解消することができる光源を備えた椅子を提供する。【解決手段】本考案による光源を備えた椅子は、座椅子からなる。前記座椅子は、光均一板を備えた座部を形成し、前記座部内は収容空間を形成する。前記収容空間内には複数の発光部材が収容され、前記発光部材は、制御器によって光源の変化が制御される。【選択図】図１
0003168563.tif 000002
【実用新案登録請求の範囲】
【請求項１】
座椅子からなる光源を備えた椅子であって、
前記座椅子は、光均一板を備えた座部を形成し、前記座部内は収容空間を形成し、
前記収容空間内には複数の発光部材が収容され、前記発光部材は、制御器によって光源の変化が制御されることを特徴とする、光源を備えた椅子。
【請求項２】
前記座部は、特定の模様領域を形成することを特徴とする、請求項１に記載の光源を備えた椅子。
【請求項３】
前記発光部材は、ＬＥＤ（Ｌｉｇｈｔ  Ｅｍｉｔｔｉｎｇ  Ｄｉｏｄｅ）であることを特徴とする、請求項１に記載の光源を備えた椅子。
【請求項４】
前記発光部材は、前記制御器の制御によって、様々な色を発することを特徴とする、請求項１に記載の光源を備えた椅子。
【請求項５】
前記制御器は、使用者に制御される調整スイッチあることを特徴とする、請求項１に記載の光源を備えた椅子。
【考案の詳細な説明】
【技術分野】
【０００１】
本考案は光源を備えた椅子に関し、特に気性を直し、気持ちを変え、ストレスを解消することができる光源を備えた椅子に関する。
【背景技術】
【０００２】
椅子には、オフィスチェア、ソファー等、多くの種類があり、椅子は人が座るだけの機能ではなく、複数の機能と効能を備えている。例えば、マッサージ機能をもったマッサージ椅子、或いは、背もたれの角度や高さを調整できるオフィスチェア等である。しかしながら、椅子の種類はこのように多いものの、いずれも、ありきたりであり、結局人を座らせる効果しかない。現在、人々の生活は緊張と疲労に溢れており、室内やオフィスでリラックスすることができず、職業病やうつ病は、それが原因で起こっている。
【考案の概要】
【考案が解決しようとする課題】
【０００３】
本考案は、気性を直し、気持ちを変え、ストレスを解消することができる光源を備えた椅子を提供することを目的とする。
【課題を解決するための手段】
【０００４】
本考案による光源を備えた椅子は、座椅子からなる。前記座椅子は、光均一板を備える座部を形成し、前記座部内は収容空間を形成し、前記収容空間内には複数の発光部材が収容され、前記発光部材は、制御器によって光源の変化が制御される。前記制御器は、使用者が制御を行う調整スイッチを備える。それにより、使用者が前記制御器のスイッチをオンにし、前記発光部材を点灯させ、前記調整スイッチにより、自分の好みに応じて光源の変化をさせることができる。
【考案の効果】
【０００５】
上述の技術により、従来の椅子がもつ、気分を変えることができない、ストレスを解消することができないという問題を解決することができる。また、光均一板により、発散する光源を均一にし、人に目が眩しい等の不快感を与えない。また、発光部材を発光させた後、前記光源から発せられ且つ光均一板を通過した均一な光は、模様領域を通して発散される。それにより、前記座椅子は、気性を直し、気持ちを変える等の目的を達成するだけでなく、特別な視覚効果も与える。
【図面の簡単な説明】
【０００６】
【図１】本考案の実施例１を示した斜視図である。
【図２】本考案の実施例１を示した分解図である。
【図３】本考案の調整スイッチの使用を示した説明図である。
【図４】本考案の発光部材の発光の作動を示した説明図である。
【図５】光源が模様領域を通過した状態を示した説明図である。
【図６】本考案の実施例２を示した斜視図である。
【図７】本考案の実施例３を示した斜視図である。
【考案を実施するための形態】
【０００７】
（実施例１）
図１は本考案の実施例１を示した斜視図であり、図２は本考案の実施例１を示した分解図である。図から分かるように、本考案は、座椅子１０からなる。
【０００８】
座椅子１０は、光均一板１１を備える座部１２を形成し、座部１２には、特定の模様領域１２１が形成され、座部１２内には収容空間１２２が形成される。
【０００９】
収容空間１２２内には、複数の発光部材１３が設けられる。発光部材１３はＬＥＤ（Ｌｉｇｈｔ  Ｅｍｉｔｔｉｎｇ  Ｄｉｏｄｅ）であり、これらの発光部材１３は、制御器１４によって光源の変化の制御が行われ、様々な色を発する。また、制御器１４は、使用者によって制御される調整スイッチ１４１を備える。
【００１０】
上述の構造をもつ本考案の使用作動状況の説明を以下に行う。図１から図５を参照する。図１は、本考案の実施例１を示した斜視図であり、図２は、本考案の実施例１を示した分解図であり、図３は、本考案の調整スイッチの使用を示した説明図であり、図４は、本考案の発光部材の発光の作動を示した説明図であり、図５は、光源が模様領域を通過した状態を示した説明図である。図から分かるように、座椅子１０は、模様領域１２１を有する座部１２と、複数のＬＥＤ発光部材１３とを主に備え、座椅子１０の座部１２には光均一板１１が設けられ、座部１２内は収容空間１２２を形成し、収容空間１２２は発光部材１３を収容し、発光部材１３は制御器１４によって制御される。以上の構造により、使用者が制御器１４のスイッチをオンにし発光部材１３を点灯させた時、調整スイッチ１４１により、自分の好みに応じて光源の変化をさせることができ（図３に図示）、発光部材１３から光が生じた後、光均一板１１を通過した均一な光は、模様領域１２１を通過して発散される。それにより、座椅子１０は特別な視覚効果を与え、気性を直し、気持ちを切り替えることができる等効果を生じる。
【００１１】
（実施例２）
図６は、本考案の実施例２を示した斜視図である。図から分かるように、座椅子１０ａは座部１２ａを形成し、座部１２ａ内には複数の発光部材１３ａが設けられ、発光部材１３ａは、制御器１４ａによって光源の変化が制御される。その内、座椅子１０ａは、円形の座禅椅子である。
【００１２】
（実施例３）
図７は、本考案の実施例３を示した斜視図である。図から分かるように、座椅子１０ｂは座部１２ｂを形成し、座部１２ｂ内には複数の発光部材１３ｂが設けられ、発光部材１３ｂは、制御器１４ｂによって光源の変化が制御される。その内、座椅子１０ｂは、四角形の座禅椅子である。
【００１３】
以上の内容は、本考案の好ましい実施例にすぎず、これによって本考案の実用新案登録請求の範囲を限定するものではない。本考案の明細書及び図の内容に関して、同じ効果をもつ範囲で変更した場合も、本考案の実用新案登録請求の範囲に含まれるものとする。
【００１４】
全ての図を参照する。本考案を使用すると、従来の技術と比べ、以下の利点が存在する。
【００１５】
発光部材１３を設け、制御器１４で光源の変化を制御することにより、本考案の座椅子１０は、気性を直し、気持ちを変え、ストレスを解消する効果がある。
【符号の説明】
【００１６】
１０、１０ａ、１０ｂ    座椅子
１１                    光均一板
１２、１２ａ、１２ｂ    座部
１２１                  模様領域
１２２                  収容空間
１３、１３ａ、１３ｂ    発光部材
１４、１４ａ、１４ｂ    制御器
１４１                  調整スイッチ
【図１】
0003168563.tif 000003
【図２】
0003168563.tif 000004
【図３】
0003168563.tif 000005
【図４】
0003168563.tif 000006
【図５】
0003168563.tif 000007
【図６】
0003168563.tif 000008
【図７】
0003168563.tif 000009